(57)【要約】      （修正有）【課題】食品自体から視覚的な興趣が得られると共に、食し終わった後に食品保持部材を他の用途に使用できるという付加価値を有して、消費者の購買意欲を高め、需要増大をもたらすことができる嗜好食品を提供する。【解決手段】透光性を有する食品本体と、その食品本体の内部に配置される発光部が設けられた食品保持部材とを有する。上記食品本体はキャンディ４とし、発光部３は上記キャンディ４内に挿入される棒状の食品保持部材５の先端内部に収納することができる。上記食品保持部材５は、上記食品本体が先端部に取り付けられた中空筒状の鞘部材１０と、上記鞘部材の内部に挿入しうると共に、同鞘部材から抜き出して分離できる芯部材１１とにより構成することができる。【選択図】図２
0003100609.tif 000002
【実用新案登録請求の範囲】
【請求項１】
透光性を有する食品本体と、その食品本体の内部に配置される発光部が設けられた食品保持部材とを有することを特徴とする嗜好食品。
【請求項２】
上記食品本体はキャンディであって、発光部は上記キャンディ内に挿入される棒状の食品保持部材の先端内部に収納されていることを特徴とする請求項１記載の嗜好食品。
【請求項３】
上記発光部はＬＥＤにより構成され、上記食品保持部材の内部に発光回路を構成する電源用のバッテリーと、上記ＬＥＤの発光を制御するＩＣチップが内蔵されると共に、上記食品保持部材の基端部にスイッチが配設されたことを特徴とする請求項１又は２記載の嗜好食品。
【請求項４】
上記食品保持部材はプラスチックにより形成され、上記食品本体が先端部に取り付けられた中空筒状の鞘部材と、上記鞘部材の内部に挿入しうると共に、同鞘部材から抜き出して分離することにより別の用途に使用しうる棒状の芯部材とにより構成され、上記発光回路構成部品は上記芯部材に内蔵されていることを特徴とする請求項１、２又は３記載の嗜好食品。
【考案の詳細な説明】
【技術分野】
【０００１】
本考案は、嗜好食品に関する。
【背景技術】
【０００２】
従来の嗜好食品、例えば、キャンディなどは口に入れて舐めるだけで、それ以外の楽しみは無かった。したがって、需要が拡大せず、販売量は頭打ちであった。
【０００３】
嗜好食品の需要を増大させるために、すなわち、消費者の興味を惹くために、従来は、風味を変えたり、親しみやすい形状、例えば、キャラクターのデザインにするなどの方法が採用されていたが、それにも限界があった。
【０００４】
従って、嗜好食品の付加価値をもっと高めて、消費者の購買意欲を増大させる必要がある。
【０００５】
例えば、特許文献１に見られるように、キャンディを保持する棒に、メロディ発生手段や、可動玩具や、発光玩具等を組み込めば、興趣が増大して有効である。
【０００６】
しかしながら、上記特許文献１に記載されたものは、棒に面白みがあって、キャンディ自体にはなんら面白みがない。
【０００７】
そして、興趣を高めるために、キャンディの棒の把持部に様々な装置を付加することは、予期しうることなので意外性に欠ける。従って、興趣は生じるが、消費者に強く訴えることができず、需要増大につながらない。
これに対し、食品自体に興趣が生じれば、口に入れた場合にどうなるかという疑問を消費者に抱かせるので、意外性がある。従って、消費者が興味を持ちやすく、需要増大が期待できる。
【特許文献１】特開２０００−３４２８６３号公報
【考案の開示】
【考案が解決しようとする課題】
【０００８】
そこで本考案の課題は、食品自体から視覚的な興趣が得られると共に、食し終わった後に食品保持部材を他の用途に使用できるという付加価値を有して、消費者の購買意欲を高め、需要増大をもたらすことができる嗜好食品を提供することにある。
【課題を解決するための手段】
【０００９】
上記課題を解決するために、請求項１記載の本考案の嗜好食品は、透光性を有する食品本体と、その食品本体の内部に配置される発光部が設けられた食品保持部材とを有することを特徴とする。
【００１０】
すなわち、本考案の嗜好食品は、食品自体が発光するように見えるという視覚的な興趣をもたらす。
【００１１】
また、請求項２記載の本考案の嗜好食品は、上記食品本体がキャンディであって、発光部は上記キャンディ内に挿入される棒状の食品保持部材の先端内部に収納されていることを特徴とする。
【００１２】
これにより、本考案の嗜好食品は、上記食品保持部材を手で握ってキャンディを舐めることができる。
また、上記発光部が上記食品保持部材の先端内部に収納されることにより、上記発光部が上記食品保持部材により保護される。
【００１３】
また、請求項３記載の本考案の嗜好食品は、上記発光部がＬＥＤにより構成され、上記食品保持部材の内部に発光回路を構成する電源用のバッテリーと、上記ＬＥＤの発光を制御するＩＣチップが内蔵されると共に、上記食品保持部材の基端部にスイッチが配設されたことを特徴とする。
【００１４】
これにより、本考案の嗜好食品は、上記食品保持部材の基端部に配設されたスイッチを操作して、上記バッテリーから給電されるＬＥＤを発光させることができる。
この場合、上記ＬＥＤの発光を上記ＩＣチップにより制御することができる。
【００１５】
また、請求項４記載の本考案の嗜好食品は、上記食品保持部材がプラスチックにより形成され、上記食品本体が先端部に取り付けられた中空筒状の鞘部材と、上記鞘部材の内部に挿入しうると共に、同鞘部材から抜き出して分離することにより別の用途に使用しうる棒状の芯部材とにより構成され、上記発光回路構成部品は上記芯部材に内蔵されていることを特徴とする。
【００１６】
これにより、本考案の嗜好食品は、上記芯部材を上記鞘部材から抜き出して別の用途に使用することができる。
そして、上記芯部材を別の用途に使用する場合も、その芯部材を発光させることができる。
【考案の効果】
【００１７】
請求項１記載の本考案の嗜好食品は、透光性を有する食品本体と、その食品本体の内部に配置される発光部が設けられた食品保持部材とを有することから、食品自体が発光するように見えるという視覚的な興趣をもたらすので、上記従来例のように棒状部材の把持部が発光するものに比べ意外性がある。従って、消費者の興味を惹きやすく、需要増大が見込まれる。
【００１８】
また、請求項２記載の本考案の嗜好食品は、上記食品本体がキャンディであって、発光部は上記キャンディ内に挿入される棒状の食品保持部材の先端内部に収納されていて、上記発光部が上記棒状の食品保持部材によりカバーされることから、上記発光部がキャンディを舐めるときに出る唾液に触れて故障することがない。
【００１９】
また、請求項３記載の本考案の嗜好食品は、上記発光部がＬＥＤにより構成されるので、様々な色に発光させることができて視覚的な興趣に訴えることができる。
また、上記食品保持部材の内部に発光回路を構成する電源用のバッテリーと、上記ＬＥＤの発光を制御するＩＣチップが内蔵されることにより、上記発光回路構成部品が上記食品保持部材によりカバーされて保護され、故障しにくい。
また、上記食品保持部材の基端部にスイッチが配設されたので、操作しやすい。
また、上記ＬＥＤを上記ＩＣチップで制御することにより、発光パターンを変えることができて、興趣を高めることができる。
【００２０】
また、請求項４記載の本考案の嗜好食品は、上記食品保持部材がプラスチックにより形成され、上記食品本体が先端部に取り付けられた中空筒状の鞘部材と、上記鞘部材の内部に挿入しうると共に、同鞘部材から抜き出して分離することにより別の用途に使用しうる棒状の芯部材とにより構成され、上記発光回路構成部品は上記芯部材に内蔵されていることにより、上記芯部材を上記鞘部材から抜き出して別の用途、例えばマドラーなどに使用することができるので、キャンディを舐め終わっても上記食品保持部材を廃棄せずに再利用することができ、有用性が増大する。
そして、上記芯部材を別の用途に使用する場合も、その芯部材を発光させることができるので、その場合も視覚的な興趣が得られ、楽しく使用することができる。
【考案を実施するための最良の形態】
【００２１】
以下、添付した図面を用いて本考案の実施形態について説明する。
本実施形態に係る嗜好食品１は、図１及び図２に示すように、透光性を有する食品本体２と、その食品本体２の内部に配置される発光部３が設けられた食品保持部材５とを有している。
そして、上記食品本体２はキャンディ４であって、図２及び図４に示すように、発光部３は上記キャンディ４内に挿入される棒状の食品保持部材５の先端内部に収納されている。
また、上記発光部３はＬＥＤ６により構成され、図２及び図４に示すように、上記食品保持部材５の内部に発光回路を構成する電源用のバッテリー７と、上記ＬＥＤ６の発光を制御するＩＣチップ８が内蔵されると共に、上記食品保持部材５の基端部にスイッチ９が配設されている。
また、上記食品保持部材５はプラスチックにより形成され、図３及び図４に示すように、上記食品本体２が先端部に取り付けられた中空筒状の鞘部材１０と、上記鞘部材１０の内部に挿入しうると共に、同鞘部材１０から抜き出して分離することにより別の用途に使用しうる棒状の芯部材１１とにより構成され、上記発光回路構成部品は上記芯部材１１に内蔵されている。
【実施例１】
【００２２】
本実施例に係る嗜好食品１は、図１に示すように、食品本体２がキャンディ４になっていて、このキャンディ４は、表面に複数の粒々１２…が突設された細長い球状に形成されると共に、赤く着色されている。すなわち、このキャンディ４は果物のイチゴを模して形成されている。
なお、キャンディ４の形状や色彩は自由であり、これに限定されるものではない。
また、上記キャンディ４の素材には透光性を有する飴が使用されている。
【００２３】
上記キャンディ４は、図１に示すように、棒状の食品保持部材５の先端部に取り付けられている。すなわち、一般的なキャンディと同様に、その棒状の食品保持部材５を手で握って保持しながら、キャンディ４を口に入れて舐められるように形成されている。
【００２４】
上記キャンディ４は、図１に示すように、内部が光るように構成されている。すなわち、発光部３が上記キャンディ４の内部に配設され、その発光部３の光がキャンディ４を透過して外部から視認できるように形成されている。
【００２５】
上記食品保持部材５は着色透明なプラスチックにより形成され、図３及び図４に示すように、鞘部材１０と、芯部材１１とにより構成されている。
【００２６】
上記鞘部材１０は，図２及び図４に示すように、中空筒状に形成され、その先端部が上記キャンディ４の内部に挿入されている。すなわち、上記キャンディ４は鞘部材１０の先端部に取り付けられている。
【００２７】
また、図４に示すように、上記鞘部材１０の基端部は開口し、その開口部１３の縁には切欠凹部１４が形成されている。
【００２８】
上記芯部材１１は、図４に示すように、中空で、基端部に太径のツマミ部１５が形成されると共に、そのツマミ部１５より先方部位は先端部側へ次第に細くなるように形成されている。
【００２９】
そして、上記芯部材１１は、図１及び図２に示すように、上記ツマミ部１５より先方部位が、上記鞘部材１０の内部に挿入しうると共に、上記ツマミ部１５は、上記鞘部材１０から突出した状態を維持するように形成されている。
【００３０】
図３に示すように、上記ツマミ部１５における前端部の外周面には段差１６が形成され、この段差１６の所要箇所に、上記鞘部材１０の開口部１３の縁に形成された上記切欠凹部１４に嵌合しうる凸状縁部１７が形成されている。
すなわち、上記芯部材１１におけるツマミ部１５より先方部位が、上記鞘部材１０の内部に挿入された状態では、図１に示すように、上記凸状縁部１７が上記切欠凹部１４に嵌合した状態となる。
【００３１】
図４に示すように、上記芯部材１１における先端内部には発光部３として、赤く光るＬＥＤ６が収納されている。なお、ＬＥＤ６の発光色は赤に限定されるものではなく、自由である。
【００３２】
上記芯部材１１における上記ツマミ部１５の内部には、図２及び図４に示すように、上記ＬＥＤ６を発光させる電源用のバッテリー７が内蔵されている。
【００３３】
また、同じく、上記芯部材１１における上記ツマミ部１５の内部には、図２及び図４に示すように、上記ＬＥＤ６の発光を制御しうるＩＣチップ８も内蔵されている。
すなわち、上記芯部材１１の内部には上記ＬＥＤ６の発光回路が構成されている。
【００３４】
また、図２及び図４に示すように、上記芯部材１１における上記ツマミ部１５の端面には、押ボタン式のスイッチ９が配設されている。
【００３５】
上記芯部材１１における上記ツマミ部１５を除く部位を、図１及び図２に示すように、上記鞘部材１０の内部に挿入すると、その芯部材１１の先端部が、ちょうど上記キャンディ４の内部に位置するように形成されている。
【００３６】
従って、この状態で上記スイッチ９を押すと、上記ＬＥＤ６が発光し、まるで、キャンディ４の内部が光るように見え、意外性のある視覚上の興趣が得られる。
【００３７】
なお、上記スイッチ９を１回押すと、上記のようにＬＥＤ６が常に発光した状態を維持し、２回押すと、上記ＬＥＤ６が一定間隔で点滅する状態になり、３回押すと、上記ＬＥＤ６が消光するように、上記ＩＣチップ８により制御されている。
しかしながら、上記ＩＣチップ８により上記ＬＥＤ６を、これとは異なる発光パターンで発光するように制御することも勿論可能である。
【００３８】
上記芯部材１１は、図３及び図４に示すように、上記鞘部材１０から引き抜くことも可能であり、単独で別の用途に使用できる。例えば、上記芯部材１１をマドラーとして使用することができる。そして、マドラー等として使用する場合も、上記ＬＥＤ６を発光させて使用することにより同様の視覚上の興趣が得られる。
【００３９】
すなわち、上記キャンディ４が舐め尽くされて消失すると、後には上記食品保持部材５だけが残されるが、この食品保持部材５における芯部材１１は、上記のように別の用途に再利用できるので、廃棄しなくてすむ。
【産業上の利用可能性】
【００４０】
本考案の嗜好食品は、上記キャンディに限らず、棒状の食品保持部材に取り付けられた全ての食品に適用可能である。
【図面の簡単な説明】
【００４１】
【図１】食品保持部材の鞘部材と芯部材が結合した状態の斜視図である。
【図２】食品保持部材の鞘部材と芯部材が結合した状態の断面図である。
【図３】食品保持部材の鞘部材と芯部材が分離した状態の斜視図である。
【図４】食品保持部材の鞘部材と芯部材が分離した状態の断面図である。
【符号の説明】
【００４２】
１    嗜好食品
２    食品本体
３    発光部
４    キャンディ
５    食品保持部材
６    ＬＥＤ
７    バッテリー
８    ＩＣチップ
９    スイッチ
１０    鞘部材
１１    芯部材
１２    粒々
１３    開口部
１４    切欠凹部
１５    ツマミ部
１６    段差
１７    凸状縁部
【図１】
0003100609.tif 000003
【図２】
0003100609.tif 000004
【図３】
0003100609.tif 000005
【図４】
0003100609.tif 000006